(57)【要約】【課題】寝返りを妨げること無く、睡眠中の姿勢を良好にする。【解決手段】枕１は、左右方向２に延びる頭配置部１０と首配置部２０とを備える。頭配置部１０は、ユーザの頭部が配置される。首配置部２０は、ユーザの首が配置され、頭配置部１０よりも上方に突出している。首配置部２０は、中央部２１と、右側部２２と、左側部２３とを有する。中央部２１は、左右方向２の中央に位置する。右側部２２は、中央部２１の右側に隣接する。左側部２３は、中央部２１の左側に隣接する。そして、中央部２１は、右側部２２及び左側部２３に比べ、柔軟性が高い。【選択図】図１
2019198413.tif 000002
【特許請求の範囲】
【請求項１】
枕であって、
上面にユーザの頭部が配置されるよう構成された部位であって、左右方向に延びる頭配置部と、
上面に前記ユーザの首が配置されるよう構成された部位であって、前記左右方向に延び、前記頭配置部よりも上方に突出している首配置部と、を備え、
前記首配置部は、前記左右方向の中央に位置する中央部と、前記中央部の右側に隣接する右側部と、前記中央部の左側に隣接する左側部とを有し、
前記中央部は、前記右側部及び前記左側部に比べ、柔軟性が高い
枕。
【請求項２】
請求項１に記載された枕であって、
前記首配置部における前記中央部の内部には、該中央部の右端から左端にわたって延びる調整空間が設けられている
枕。
【請求項３】
請求項２に記載された枕であって、
前記調整空間は、前記首配置部の右端から左端にわたって延び、前記中央部、前記右側部、及び前記左側部の内部に位置し、
前記調整空間における前記右側部に位置する部分と前記左側部に位置する部分とは、それぞれ、充填部により充填されている
枕。
【請求項４】
請求項２又は請求項３に記載された枕であって、
前記調整空間は、前記左右方向に延び、前記首配置部により側面を囲まれた空間である
枕。
【請求項５】
請求項１から請求項４のうちのいずれか１項に記載された枕であって、
前記頭配置部及び前記首配置部の各々の上面には、複数の突起部が設けられており、
前記突起部は、上面における前記左右方向の延びる領域に設けられた、上方に突出した部位である
枕。
【発明の詳細な説明】
【技術分野】
【０００１】
本開示は、枕に関する。
【背景技術】
【０００２】
仰向けに寝る場合と横向きに寝る場合とでは、睡眠中の姿勢を良好にする上で好適となる枕の高さが異なる。これに対し、特許文献１に記載された枕は、中央低枕部と、中央低枕部の左右両側に位置し、中央低枕部よりも高い左側高枕部及び右側高枕部を有する。該枕によれば、仰向けで寝る場合に中央低枕部に頭を配置すると共に、横向きで寝る場合に左側高枕部又は右側高枕部に頭部を配置することができ、各場合の姿勢を良好にすることができる。
【先行技術文献】
【特許文献】
【０００３】
【特許文献１】実用新案登録第３１７３６５０号公報
【発明の概要】
【発明が解決しようとする課題】
【０００４】
しかしながら、体圧分散等のため、人間は睡眠中に何度も寝返りを打つ。これに対し、特許文献１の枕を用いた場合、寝返りを打つ際、頭部が右側又は左側高枕部の段差を通過し、睡眠が妨げられる恐れがある。
【０００５】
本開示の一側面においては、寝返りを妨げること無く、睡眠中の姿勢を良好にするのが望ましい。
【課題を解決するための手段】
【０００６】
本開示の一態様は、枕であって、頭配置部と、首配置部と、を備える。頭配置部は、上面にユーザの頭部が配置されるよう構成された部位であって、左右方向に延びる。首配置部は、上面にユーザの首が配置されるよう構成された部位であって、左右方向に延び、頭配置部よりも上方に突出している。また、首配置部は、中央部と、右側部と、左側部とを有する。中央部は、左右方向の中央に位置する。右側部は、中央部の右側に隣接する。左側部は、中央部の左側に隣接する。そして、中央部は、右側部及び左側部に比べ、柔軟性が高い。
【０００７】
上記構成によれば、首配置部は頭配置部よりも上方に突出している。また、首配置部の中央部は、右側部及び左側部よりも柔軟性が高く、中央部にユーザの首が位置する場合は首が深く沈み込む。したがって、仰向けで寝る場合にユーザの首を中央部に配置すると、側方視した時のユーザの背骨がＳ字状に湾曲した状態となるよう促される。一方、右側部又は左側部にユーザの首が位置する場合は、中央部に首が位置する場合に比べ首の沈み込みが抑制され、該場合に比べ首が上方に位置する。このため、横向きに寝る場合にユーザの首を右側部又は左側部に配置すると、正面視した時のユーザの背骨が真っ直ぐに延びた状態となるよう促される。したがって、仰向けで寝る場合と横向きに寝る場合とに、ユーザの姿勢を良好にすることができる。
【０００８】
さらに、頭配置部は、首配置部よりも下方に位置し、首配置部よりも薄い。このため、寝返りの際、頭配置部に配置されたユーザの頭部が左右方向にスムーズに転動するよう促される。さらに、首配置部は、中央部と右側部及び左側部との柔軟性の違いにより、仰向けに寝た場合と横向きに寝た場合とにおけるユーザの首の高さを調整する。このため、例えば高低差を設けることで首の高さを調整する場合に比べ、寝返り時に、首配置部に位置する首が左右方向に移動し易くなる。したがって、寝返りを妨げること無く、睡眠中の姿勢を良好にすることができる。
【０００９】
また、本開示の一態様では、首配置部における中央部の内部には、中央部の右端から左端にわたって延びる調整空間が設けられていてもよい。
上記構成によれば、首配置部の中央部の柔軟性を高めることが可能となる。
【００１０】
また、本開示の一態様では、調整空間は、首配置部の右端から左端にわたって延び、中央部、右側部、及び左側部の内部に位置してもよい。調整空間における右側部に位置する部分と左側部に位置する部分とは、それぞれ、充填部により充填されていてもよい。
【００１１】
上記構成によれば、首配置部の中央部の柔軟性を、右側部及び左側部よりも高くすることができる。
また、本開示の一態様では、調整空間は、左右方向に延び、首配置部により側面を囲まれた空間であってもよい。
【００１２】
上記構成によれば、首配置部の各部位の柔軟性を良好に調整できる。
また、本開示の一態様では、頭配置部及び首配置部の各々の上面には、複数の突起部が設けられていてもよい。突起部は、上面における左右方向の延びる領域に設けられた、上方に突出した部位であってもよい。
【００１３】
上記構成によれば、ユーザが寝返りを打った際、頭配置部に配置されたユーザの頭部や、首配置部に配置されたユーザの首が、左右方向に移動し易くなる。また、突起部によりユーザの頭部や首が適度に押圧され、快適性が向上する。
【図面の簡単な説明】
【００１４】
【図１】枕の斜視図である。
【図２】枕を前端側から見た正面図である。
【図３】枕を後端側から見た背面図である。
【図４】枕の上面図である。
【図５】枕の下面図である。
【図６】枕の右側面図である。
【図７】枕の左側面図である。
【発明を実施するための形態】
【００１５】
以下、本開示の実施形態について図面を用いて説明する。なお、本開示の実施の形態は、下記の実施形態に何ら限定されることはなく、本開示の技術的範囲に属する限り種々の形態を採りうる。
【００１６】
［構成の説明］
図１〜７に示す本実施形態の枕１は、左右方向２に延び、クッション性を有する。以後、左右方向２に直交する方向を、前後方向３とする。本実施形態では、一例として、枕１は、クッション材をカットすることで形成される。クッション材とは、例えば、ウレタン等の発泡体であっても良い。具体的には、クッション材は、反発力が高い（換言すれば、弾性力の高い）ウレタンであっても良い。一例として、該ウレタンは、重量密度が０．０４ｋｇ／ｌ以上であり、反発弾性率が５０％以上であっても良い。
【００１７】
以後、枕１の前端４ｃに向かって右側，左側を、それぞれ、単に右側，左側と記載する。
図４，５に示すように、枕１は、上方及び下方から見ると、左右方向２に延びる長方形状となっている。また、枕１の左右方向２に直交する断面は、後端４ｂ側が尖った流線型状となっている。また、図６，７に示すように、枕１の右端４ｅ並びに左端４ｆに位置する側面は、該断面と同様の流線型状となっている。また、枕１の下面５は、左右方向２及び前後方向３に平面状に広がっている。
【００１８】
一方、枕１の上面４は、前後方向３に高さが変化する傾斜を有する。具体的には、上面４には、前後方向３の中央よりも前端４ｃ側の位置に、頂部４ａが設けられている。頂部４ａは、上面４の右端４ｅから左端４ｆにわたって左右方向２に延びる。上面４は、後端４ｂから頂部４ａに向かうに従い上方に傾斜していると共に、前端４ｃから頂部４ａに向かうに従い上方に傾斜している。なお、上面４における頂部４ａよりも前端４ｃ側の部分の傾斜の度合いは、後端４ｂ側の部分の傾斜の度合いよりも大きい。
【００１９】
また、上面４は、左右方向２に高さが変化する傾斜を有さない。換言すれば、枕１の前後方向３に直交する断面においては、上面４に相当する部分の高さが一定又は略一定となっている。
【００２０】
枕１は、頭配置部１０と、首配置部２０と、調整空間３０と、右充填部４０と、左充填部４１とを有する。
頭配置部１０は、首配置部２０の後端４ｂ側に位置し、右端４ｅから左端４ｆにわたって左右方向２に延びる。また、頭配置部１０は、後端４ｂまで広がる。頭配置部１０は、上面４の一部を含んでおり、頭配置部１０に位置する上面４は、上方から見ると長方形状となっている。頭配置部１０に位置する上面４には、ユーザの頭部が配置される。
【００２１】
首配置部２０は、頭配置部１０の前端４ｃ側に位置し、右端４ｅから左端４ｆにわたって左右方向２に延びる。首配置部２０は、上面４の一部を含んでおり、首配置部２０に位置する上面４は、上方から見ると長方形状となっている。また、首配置部２０に位置する上面４は、頂部４ａを含んでおり、該上面４は、頭配置部１０に位置する上面４よりも上方に位置する。つまり、首配置部２０は、頭配置部１０よりも上方に突出している。また、首配置部２０は、頭配置部１０よりも厚みを有している。首配置部２０に位置する上面４には、ユーザの首が配置される。
【００２２】
首配置部２０は、中央部２１と、右側部２２と、左側部２３とを有する。中央部２１は、左右方向２の中央に位置する。また、右側部２２は中央部２１の右側に隣接し、左側部２３は中央部２１の左側に隣接する。より詳しくは、右側部２２は、枕１の右端４ｅから中央部２１の右端まで広がっており、左側部２３は、枕１の左端４ｆから中央部２１の左端まで広がっている。そして、右側部２２の左右方向２の長さと、左側部２３の左右方向２の長さとは、同一又は略同一となっている。また、中央部２１、右側部２２、及び左側部２３の各々の左右方向２の長さは、枕１の左右方向２の長さの１／３又は略１／３となっている。
【００２３】
また、上面４における頭配置部１０に位置する領域と、首配置部２０に位置する領域との各々に、複数の突起部４ｄが設けられている。各突起部４ｄは、上面４における左右方向２に延びる帯状の領域から上方に突出しており、左右方向２に直交する断面は、一例として半円状となっている。また、各突起部４ｄは、上面４の右端４ｅから左端４ｆにわたって延びている。また、各突起部４ｄは、前後方向３に沿って等間隔に配置されている。各突起部４ｄは、隣接する他の突起部４ｄとの間に、左右方向２に延びる溝を形成している。つまり、上面４には、左右方向２に延びる複数の溝が設けられている。なお、突起部４ｄの形状や位置は、これに限らず、適宜定められ得る。
【００２４】
そして、中央部２１は、右側部２２及び左側部２３に比べ、柔軟性が高くなっている。換言すれば、中央部２１は、右側部２２及び左側部２３に比べ、高さ方向の押圧に対する反発力が低くなっている。なお、右側部２２と左側部２３とは、同程度の柔軟性を有している。また、中央部２１は、頭配置部１０よりも柔軟性が高くても良い。
【００２５】
具体的には、首配置部２０は、左右方向２に首配置部２０を貫通する穴状の空間である調整空間３０を有する。換言すれば、調整空間３０は、側面が首配置部２０により囲まれている。調整空間３０は、頂部４ａの下方に位置し、枕１の右端４ｅから左端４ｆにわたって延び、右側部２２と、中央部２１と、左側部２３とを貫通する。調整空間３０は、左右方向２に直交する断面が流線型状（換言すれば、楕円形状）であり、該断面は、前後方向３又は略前後方向３に延びている。
【００２６】
調整空間３０における右側部２２を貫通する部分は、右充填部４０により充填されており、左側部２３を貫通する部分は、左充填部４１により充填されている。右充填部４０及び左充填部４１の各々は、断面が流線型状の棒状の部材であり、枕１の他の部分（以後、本体部）から分離された部材である。なお、右充填部４０及び左充填部４１は、本体部に接着されていても良い。また、右充填部４０及び左充填部４１は、本体部に接着されることなく、調整空間３０を充填していても良い。また、右充填部４０及び左充填部４１は、本体部と同じクッション材で構成されている。しかし、右充填部４０及び左充填部４１は、枕１の他の部分とは異なるクッション材で構成されていても良い。また、右充填部４０及び左充填部４１は、それぞれ、複数の充填材の集合体として構成されていても良い。
【００２７】
一方、調整空間３０における中央部２１を貫通する部分は、充填されておらず、空洞を形成している。該空洞は、中央部２１の右端から左端にわたって延びる。該空洞により、中央部２１の柔軟性が高められる。一例として、枕１の首配置部２０の最大高さ（換言すれば、頂部４ａの高さ）は、７〜１０ｃｍ程度であっても良い。また、ユーザの頭部の重さを３〜５ｋｇと仮定しても良い。そして、仰向けで寝ているユーザの首が中央部２１に配置された際、中央部２１におけるユーザの首に接する部分の高さが３〜５ｃｍ程度となるまで中央部２１が圧縮されても良い。一方、横向きに寝ているユーザの首が右側部２２及び左側部２３に配置された際、これらの部位は、その高さが１ｃｍ程度低下するまで圧縮されても良い。
【００２８】
なお、中央部２１に位置する調整空間３０を、右充填部４０及び左充填部４１よりも柔軟性の高いクッション材で充填することで、中央部２１の柔軟性を高めても良い。また、右充填部４０及び左充填部４１と本体部とは、一体に構成されていても良い。また、調整空間３０は、例えば、下面５に開口を有し、左右方向２に延びる溝状の空間であっても良い。そして、同様にして、調整空間３０における右側部２２に位置する部分と左側部２３に位置する部分とが、充填部により充填されていても良い。
【００２９】
また、枕１における調整空間３０を囲む部分は、調整空間３０と下面５とを繋ぐ面に沿って切断されている。該カットにより形成された切断面４ｇは、調整空間３０の境界における後端に位置する部分から下面５まで広がる。切断面４ｇは、調整空間３０の上側の境界面に、段差を有すること無く連続的に繋がっている。切断面４ｇは、枕１の右端４ｅから左端４ｆまで左右方向２に延びている。また、切断面４ｇは、前端４ｃ側に向かうに従い上方に向かうように傾斜している。
【００３０】
［効果］
（１）上記実施形態によれば、首配置部２０は頭配置部１０よりも上方に突出している。また、首配置部２０の中央部２１は、首配置部２０の右側部２２及び左側部２３よりも柔軟性が高く、中央部２１にユーザの首が位置する場合は首が深く沈み込む。したがって、仰向けで寝る場合にユーザの首を中央部２１に配置すると、側方視した時のユーザの背骨がＳ字状に湾曲した状態となるよう促される。一方、右側部２２又は左側部２３にユーザの首が位置する場合は、中央部２１に首が位置する場合に比べ首の沈み込みが抑制され、該場合に比べ首が上方に位置する。このため、横向きに寝る場合にユーザの首を右側部２２又は左側部２３に配置すると、正面視した時のユーザの背骨が真っ直ぐに延びた状態となるよう促される。したがって、仰向けで寝る場合と横向きに寝る場合とに、ユーザの姿勢を良好にすることができる。
【００３１】
さらに、頭配置部１０は、首配置部２０よりも下方に位置し、首配置部２０よりも薄い。このため、寝返りの際、頭配置部１０に配置されたユーザの頭部が左右方向にスムーズに転動するよう促される。さらに、首配置部２０は、中央部２１と右側部２２及び左側部２３との柔軟性の違いにより、仰向けに寝た場合と横向きに寝た場合とにおけるユーザの首の高さを調整する。このため、例えば高低差を設けることで首の高さを調整する場合に比べ、寝返り時に、首配置部２０に位置する首が左右方向に移動し易くなる。したがって、寝返りを妨げること無く、睡眠中の姿勢を良好にすることができる。
【００３２】
（２）また、首配置部２０の中央部２１の内部の調整空間３０は、充填されておらず、空洞となっている。これにより、中央部２１の柔軟性を高めることができる。
（３）また、右側部２２及び左側部２３の内部の調整空間３０は、それぞれ、右充填部４０及び左充填部４１により充填されている。これにより、中央部２１の柔軟性を、右側部２２及び左側部２３よりも高くすることができる。
【００３３】
（４）また、調整空間３０は、左右方向２に延び、首配置部２０により側面を囲まれた空間である。これにより、首配置部２０の各部位の柔軟性を良好に調整できる。
（５）また、頭配置部１０及び首配置部２０の各々の上面には、複数の突起部４ｄが設けられていている。これにより、ユーザが寝返りを打った際、頭配置部１０に配置されたユーザの頭部や、首配置部２０に配置されたユーザの首が、左右方向２に移動し易くなる。また、突起部４ｄによりユーザの頭部や首が適度に押圧され、快適性が向上する。
【００３４】
［他の実施形態］
（１）上記実施形態の枕１は、ウレタン以外の発泡体から構成されていても良い。また、枕１は、発泡体以外のクッション材により構成されていても良い。具体的には、例えば、袋状の部材に充填物を充填することで、同様の枕が構成されても良い。なお、充填物とは、例えば、羽毛、綿、粒綿、パイプ、及びそば殻のうちの全部又は一部であっても良い。なお、綿及び粒綿とは、例えば、ポリエステルにより構成されていても良いし、木綿により構成されていても良い。
【００３５】
（２）上記実施形態の枕１では、右充填部４０及び左充填部４１以外の部分である本体部は、単一の部材として構成されている。しかし、本体部は、複数の部材として構成されていても良い。そして、これらの部材は、例えば、接着剤等により接合されていても良い。また、首配置部２０の中央部２１を、右側部２２及び左側部２３よりも柔軟性の高いクッション材で構成しても良い。そして、調整空間３０を設けること無く、中央部２１の柔軟性を、右側部２２及び左側部２３よりも高くしても良い。
【００３６】
（３）上記実施形態１の枕において、上面４に複数の突起部４ｄを設けない構成としても良い。また、例えば、上面４の一部に複数の突起部４ｄを設けても良い。具体的には、上面４における頭配置部１０に位置する部分と、首配置部２０に位置する部分とのうちの一方に、複数の突起部４ｄを設けても良い。
【００３７】
（４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【００３８】
１…枕、２…左右方向、３…前後方向、４…上面、４ｂ…後端、４ｃ…前端、４ｄ…突起部、４ｅ…右端、４ｆ…左端、５…下面、１０…頭配置部、２０…首配置部、２１…中央部、２２…右側部、２３…左側部、３０…調整空間、４０…右充填材、４１…左充填材。
【図１】
2019198413.tif 000003
【図２】
2019198413.tif 000004
【図３】
2019198413.tif 000005
【図４】
2019198413.tif 000006
【図５】
2019198413.tif 000007
【図６】
2019198413.tif 000008
【図７】
2019198413.tif 000009